(57)【特許請求の範囲】
【請求項１】
洋風便器本体と、該洋風便器本体の後部に設けられ、ベースプレート上に固定された該洋風便器本体に種々の機能を付与可能な部品をスペースとともに本体カバーで内装した機能装置とを備え、該機能装置が少なくとも該洋風便器本体の鉢面後方を露出すべく上昇可能に設けられた洋風水洗式便器において、
前記機能装置のベースプレートがフロントベースプレートとリアベースプレートとで構成され、該フロントベースプレートが前記本体カバーとともに該リアベースプレートに対して垂直に上昇することにより前記洋風便器本体の鉢面後方が露出し、
該リアベースプレートには、前記本体カバーの上昇時に剥き出しとなり得る前記部品又は前記スペースを隠蔽する隠蔽部材が設けられていることを特徴とする洋風水洗式便器。
【請求項２】
隠蔽部材は部品又はスペースを前方及び側方の少なくとも一方で隠蔽可能なものであることを特徴とする請求項１記載の洋風水洗式便器。
【請求項３】
隠蔽部材は部品又はスペースを全周で隠蔽可能なものであることを特徴とする請求項２記載の洋風水洗式便器。
【発明の詳細な説明】
【０００１】
【発明が属する技術分野】
本発明は洋風水洗式便器に関する。
【０００２】
【従来の技術】
従来、陶磁器製の洋風便器本体と、この洋風便器本体の後部に設けられた機能装置とを備えた洋風水洗式便器が知られている。
【０００３】
機能装置として公知の例えばシャワートイレは、洋風便器本体に取り付けられるベースプレートと、このベースプレート上に固定された局部洗浄機構を構成する各部品と、各部品をスペースとともに内装する本体カバーと、本体カバーに揺動可能に設けられた暖房便座と、本体カバーに揺動可能に設けられた便蓋とからなる。かかるシャワートイレは、各部品の協働作用により、暖房便座を介して着座した人の局部を洗浄可能であるという機能を洋風便器本体に付与することができる。
【０００４】
また、近年のシャワートイレは、少なくとも洋風便器本体の鉢面後方を露出すべく上昇可能に設けられている。かかるシャワートイレでは、上昇されることにより、少なくとも洋風便器本体の鉢面後方を露出し、これによりそこの汚れを水洗い等で容易に清掃できるようになっている。
【０００５】
【発明が解決しようとする課題】
しかし、上記のように上昇可能な機能装置を備えた洋風水洗式便器では、機能装置の上昇時に部品又はスペースが剥き出しとなってしまう。こうして部品やスペースが剥き出しの状態で洋風便器本体の鉢面後方を清掃する場合、水等が部品に接触して部品の性能を損なうとともに、手指や清掃具がスペースに挟まってその清掃性を阻害しやすい。特に、部品が電気部品である場合には、ショート等を生じる危険性もある。
【０００６】
本発明は、上記従来の実情に鑑みてなされたものであって、機能装置を構成する部品の性能を損なうことなく、かつ洋風便器本体の清掃性を確実に高めることのできる洋風水洗式便器を提供することを解決すべき課題としている。
【０００７】
【課題を解決するための手段】
本発明の洋風水洗式便器は、洋風便器本体と、該洋風便器本体の後部に設けられ、ベースプレート上に固定された該洋風便器本体に種々の機能を付与可能な部品をスペースとともに本体カバーで内装した機能装置とを備え、該機能装置が少なくとも該洋風便器本体の鉢面後方を露出すべく上昇可能に設けられた洋風水洗式便器において、
前記機能装置のベースプレートがフロントベースプレートとリアベースプレートとで構成され、該フロントベースプレートが前記本体カバーとともに該リアベースプレートに対して垂直に上昇することにより前記洋風便器本体の鉢面後方が露出し、
該リアベースプレートには、前記本体カバーの上昇時に剥き出しとなり得る前記部品又は前記スペースを隠蔽する隠蔽部材が設けられていることを特徴とする。
【０００８】
本発明の洋風水洗式便器では、隠蔽部材が機能装置の上昇時に剥き出しとなり得る部品又はスペースを隠蔽するため、この状態で洋風便器本体の鉢面後方を清掃することができる。このため、水等が部品に接触して部品の性能を損なうことがないとともに、手指や清掃具がスペースに挟まって清掃性を阻害することもない。特に、電気部品に水等が接触しないことから、ショート等の危険性もない。
【０００９】
したがって、本発明の洋風水洗式便器では、機能装置を構成する部品の性能を損なうことなく、かつ洋風便器本体の清掃性を確実に高めることができる。
【００１０】
隠蔽部材は、部品又はスペースを前方及び側方の少なくとも一方で隠蔽可能であれば足りる。洋風便器本体の清掃は前方及び側方の少なくとも一方から行われることが一般的だからである。
【００１１】
隠蔽部材は、部品又はスペースを全周で隠蔽可能なものであることがより好ましい。こうであれば、洋風便器本体の清掃をいずれの方向から行っても本発明の作用効果を得ることができるからである。
【００１２】
【発明の実施の形態】
以下、本発明を具体化した実施形態を図面を参照しつつ説明する。
実施形態の洋風水洗式便器は、図１に示すように、陶磁器製の洋風便器本体１と、この洋風便器本体１の後部に設けられた機能装置としてのシャワートイレ２を備えている。
【００１３】
シャワートイレ２は、図２に示すように、フロントベースプレート３ａと、このフロントベースプレート３ａ上に固定された局部洗浄機構を構成するノズル等の第１部品群３ｂと、第１部品群３ｂをスペース３ｃとともに内装する本体カバー３ｄと、図１に示すように、本体カバー３ｄに揺動可能に設けられた暖房便座３ｅと、本体カバー３ｄに揺動可能に設けられた便蓋３ｆとを有している。
【００１４】
また、このシャワートイレ２は、図３に示すように、リアベースプレート４ａと、このリアベースプレート４ａ上に固定された第２部品群４ｂとを有している。第２部品群４ｂは、局部洗浄機構の残部を構成する温水タンク、便器洗浄機構を構成するバルブ等及びフロントベースプレート３ａをリアベースプレート４ａに対して昇降可能に設ける昇降機構のラックアンドピニオン等である。
【００１５】
リアベースプレート４ａの水平方向の全周囲には隠蔽部材５が立設されている。この隠蔽部材５は第２部品群４ｂをスペース４ｃとともに囲包しており、下端がリアベースプレート４ａと水密状態で固定されている。かかる第２部品群４ｂ及び隠蔽部材５をもつリアベースプレート４ａは、一対のボルト取付穴４ｄに図示しないボルトが挿通され、これらのボルトが洋風便器本体１に貫設された図示しない便座取付け穴に挿通されて図示しないナットが締結されることにより固定される。フロントベースプレート３ａは、図４に示すように、第１部品群３ｂ、本体カバー３ｄ、暖房便座３ｅ及び便蓋３ｆとともに、第２部品群４ｂの昇降機構によりリアベースプレート４ａに対して垂直に昇降可能になっている。図１に示すように、フロントベースプレート３ａ等が下降している際、第２部品群４ｂはスペース４ｃとともに本体カバー３ｄにより内装されている。
【００１６】
かかるシャワートイレ２を備えた洋風水洗式便器では、シャワートイレ２の局部洗浄機構により、暖房便座３ｅを介して着座した人の局部を洗浄可能である。また、この洋風水洗式便器では、シャワートイレ２の便器洗浄機構により、洋風便器本体１を洗浄可能である。
【００１７】
また、この洋風水洗式便器では、図４に示すように、シャワートイレ２のフロントベースプレート３ａ等が昇降機構により上昇可能になっており、これにより洋風便器本体１の鉢面後方が露出するようになっている。このため、洋風便器本体１の鉢面後方の汚れを水洗い等で容易に清掃できる。この際、隠蔽部材５がフロントベースプレート３ａ等の上昇時に剥き出しとなり得る第２部品群４ｂ及びスペース４ｃを全周で隠蔽するため、いずれの方向からでも、この状態で洋風便器本体１の鉢面後方を清掃することができる。このため、水等が第２部品群４ｂに接触して第２部品群４ｂの性能を損なうことがないとともに、手指や清掃具がスペース４ｃに挟まって清掃性を阻害することもない。特に、第２部品群４ｂの電気部品に水等が接触しないことから、ショート等の危険性もない。
【００１８】
したがって、この洋風水洗式便器では、シャワートイレ２を構成する第２部品群４ｂの性能を損なうことなく、かつ洋風便器本体１の清掃性を確実に高めることができる。
【００１９】
なお、上記実施形態では、リアベースプレート４ａと隠蔽部材５とが別体であったが、水平方向に延在するリアベースプレート本体と、このリアベースプレート本体と一体に形成された隠蔽部材としての隔壁とによりリアベースプレートを構成することもできる。
【図面の簡単な説明】
【図１】実施形態の洋風水洗式便器に係り、シャワートイレ降下時の側面図である。
【図２】実施形態の洋風水洗式便器に係り、シャワートイレの一部省略斜視図である。
【図３】実施形態の洋風水洗式便器に係り、シャワートイレのリアベースプレート等の斜視図である。
【図４】実施形態の洋風水洗式便器に係り、シャワートイレ上昇時の側面図である。
【符号の説明】
１…洋風便器本体
３ａ…フロントベースプレート
３ｂ…第１部品群
３ｃ…スペース
３ｄ…本体カバー
２…機能装置（シャワートイレ）
５…隠蔽部材
【図１】
0003721051.tif 000002
【図２】
0003721051.tif 000003
【図３】
0003721051.tif 000004
【図４】
0003721051.tif 000005